(57)【要約】【課題】スピーカの背面から出力された音の漏れを低減できるスピーカフォンを提供する。【解決手段】スピーカ２が設けられた第１筐体４と、マイク３が設けられた第２筐体と、両筐体が長く展開された展開状態と、両筐体が短く収納された収納状態とのいずれかの状態に両筐体をスライドさせるスライド機構と、を備え、両筐体の内部に形成されるスピーカの背面空間が、収納状態から展開状態へ両筐体をスライドさせることにより大きくなる【選択図】図２
2014165627.tif 000002
【特許請求の範囲】
【請求項１】
マイクと、
スピーカと、
前記スピーカが設けられた第１筐体と、
前記マイクが設けられた第２筐体と、
前記両筐体が長く展開された展開状態と、前記両筐体が短く収納された収納状態とのいずれかの状態に前記両筐体を変位させる変位機構と、を備え、
前記両筐体の内部に形成される前記スピーカの背面空間が、前記収納状態から前記展開状態へ前記両筐体を変位させることにより大きくなることを特徴とするスピーカフォン。
【請求項２】
請求項１に記載のスピーカフォンにおいて、
前記第２筐体には、前記スピーカフォンを動作させるための操作部が設けられることを特徴とするスピーカフォン。
【請求項３】
請求項１または請求項２に記載のスピーカフォンにおいて、
前記両筐体により形成される前記スピーカの背面空間と、前記第２筐体における前記マイクの配置空間とを遮蔽するための隔壁が前記第２筐体に設けられることを特徴とするスピーカフォン。
【請求項４】
請求項３に記載のスピーカフォンにおいて、
前記スピーカ、前記マイク及び前記操作部と配線によって接続される回路基板が前記第２筐体に設けられることを特徴とするスピーカフォン。
【請求項５】
請求項１から４のいずれかに記載のスピーカフォンにおいて、
前記第２筐体には、外部機器と接続するための接続端子が設けられることを特徴とするスピーカフォン。
【発明の詳細な説明】
【技術分野】
【０００１】
本発明は、スピーカフォンに関する。
【背景技術】
【０００２】
従来より、互いにスライド可能に構成された第１筐体と第２筐体とを有する携帯端末が、特許文献１などに記載され、知られている。特許文献１記載の携帯端末は、スライド部分が設けられた第１筐体と、スライドベース、スピーカ、及び、マイクが設けられた第２筐体とを備えている。スライド部分がスライドベースに対してスライドすることにより、第１筐体と第２筐体とが伸縮自在となっている。スライド移動させて第１筐体と第２筐体とを開くと両筐体間に空隙が生じる。この空隙とスピーカの周囲にある背面空間とが連通することにより、スピーカの背面空間が拡大される。
【先行技術文献】
【特許文献】
【０００３】
【特許文献１】特開２００９−５５５３４号公報
【発明の概要】
【発明が解決しようとする課題】
【０００４】
しかしながら、特許文献１記載の携帯端末では、スピーカ及びマイクが共に第２筐体に設けられ、拡大されたスピーカの背面空間が、マイクが設けられた第２筐体の空間と連通するため、スピーカの背面から出力された音が、マイクと第２筐体とが接合される隙間から漏れてしまう問題があった。
【０００５】
本発明は、上述した問題を解決するためになされたものであり、その目的は、スピーカの背面から出力された音の漏れを低減できるスピーカフォンを提供することにある。
【課題を解決するための手段】
【０００６】
この目的を達成するために、請求項１記載のスピーカフォンは、マイクと、スピーカと、前記スピーカが設けられた第１筐体と、前記マイクが設けられた第２筐体と、前記両筐体が長く展開された展開状態と、前記両筐体が短く収納された収納状態とのいずれかの状態に前記両筐体を変位させる変位機構と、を備え、前記両筐体の内部に形成される前記スピーカの背面空間が、前記収納状態から前記展開状態へ前記両筐体を変位させることにより大きくなる。
【０００７】
請求項１記載のスピーカフォンによれば、両筐体が変位されて展開されると、第２筐体に設けられたマイクと第１筐体に設けられたスピーカとの距離が離れるため、スピーカの背面から出力された音がマイクと第２筐体との隙間から漏れることを低減できる。
【０００８】
また、請求項２記載のスピーカフォンにおいて、前記第２筐体には、前記スピーカフォンを動作させるための操作部が設けられる。
【０００９】
請求項２記載のスピーカフォンによれば、両筐体が変位されて展開されると、第２筐体に設けられた操作部と第１筐体に設けられたスピーカとの距離が離れるため、スピーカの背面から出力された音が操作部と第２筐体との隙間から漏れることを低減できる。
【００１０】
また、請求項３記載のスピーカフォンにおいて、前記両筐体により形成される前記スピーカの背面空間と、前記第２筐体における前記マイクの配置空間とを遮蔽するための隔壁が前記第２筐体に設けられる。
【００１１】
請求項３記載のスピーカフォンによれば、両筐体により形成されるスピーカの背面空間の密閉性が高くなるため、スピーカから出力された音が背面空間から外部に漏れることを低減できる。
【００１２】
また、請求項４記載のスピーカフォンにおいて、前記スピーカ、前記マイク及び前記操作部と配線によって接続される回路基板が前記第２筐体に設けられる。
【００１３】
請求項４記載のスピーカフォンによれば、第２筐体に回路基板が設けられるので、第１筐体に設けられたスピーカと第２筐体に設けられた回路基板とを接続するために必要な孔を隔壁に形成すればよいため、隔壁に形成する孔の数を増やしたり、孔の大きさを大きくせずに済む。
【００１４】
また、請求項５記載のスピーカフォンにおいて、前記第２筐体には、外部機器と接続するための接続端子が設けられる。
【００１５】
請求項５記載のスピーカフォンによれば、両筐体が変位されて展開されると、第２筐体に設けられた接続端子と第１筐体に設けられたスピーカとの距離が離れるため、スピーカの背面から出力された音が接続端子と第２筐体との隙間から漏れることを低減できる。
【発明の効果】
【００１６】
本発明によれば、スピーカの背面から出力された音の漏れを低減できる。
【図面の簡単な説明】
【００１７】
【図１】本発明の一実施形態であるスピーカフォン１を前方から見た斜視図。
【図２】スピーカフォン１の分解斜視図。
【図３】展開状態であるスピーカフォン１を左右方向の水平面で切断した断面図。
【図４】第１筐体カバー４ｂを取り外して、展開状態であるスピーカフォン１を後方から見た斜視図。
【図５】収納状態であるスピーカフォン１を左右方向の水平面で切断した断面図。
【図６】第１筐体カバー４ｂを取り外して、収納状態であるスピーカフォン１を後方から見た斜視図。
【発明を実施するための形態】
【００１８】
［実施形態］
（スピーカフォン１の機械的構成）
以下、本発明の一実施形態であるスピーカフォン１の機械的構成について図１から図３を用いて説明する。図１は、本発明の一実施形態であるスピーカフォン１を前方から見た斜視図である。図２は、スピーカフォン１の分解斜視図である。図３は、展開状態であるスピーカフォン１を左右方向の水平面で切断した断面図である。図１に示すように、スピーカフォン１は、ネットワークに接続された図示外のパーソナルコンピュータにＵＳＢ（Ｕｎｉｖｅｒｓａｌ  Ｓｅｒｉａｌ  Ｂｕｓ）端子ケーブル７を介して接続され、音声を用いた遠隔会議を行うことが可能である。以下では、パーソナルコンピュータをＰＣという。
【００１９】
例えば、スピーカフォン１は、他の拠点からネットワーク及びＰＣを介して送信された音声をスピーカ２から出力することができる。また、スピーカフォン１は、後述するマイク３で音を集音することができる。集音された音は、ＰＣ及びネットワークを介して他の拠点に送信される。また、スピーカフォン１は、例えば携帯電話などの通信端末に接続されることで、ハンズフリーの通話を可能とする。なお、図１に示す３つの矢印方向は、前後方向、左右方向、及び、上下方向を示し、他の図面に示す矢印方向も、同様に示される。
【００２０】
図１及び図２に示すようにスピーカフォン１は、直方体状の第１筐体４と、第１筐体４に対してスライドして伸縮する第２筐体５とを備えている。第２筐体５は、前後方向のサイズが第１筐体４と同じサイズの操作筐体部５−１と、その操作筐体部５−１から左方に延びるスライド筐体部５−２とを有する。スライド筐体部５−２は、前後方向のサイズが操作筐体部５−１より小さいサイズを有する。
【００２１】
第１筐体４は、内部にスピーカ２が取り付けられている第１筐体ベース４ａと第１筐体カバー４ｂとを備えている。第２筐体５は、操作部６が設けられた第２筐体ベース５ａと第２筐体カバー５ｂとを備えている。操作筐体部５−１及びスライド筐体部５−２は、第２筐体ベース５ａと第２筐体カバー５ｂとが組み合わされることにより構成される。操作部６は、操作筐体部５−１の一部を構成する第２筐体ベース５ａに設けられる。第１筐体カバー４ｂの右側壁部には、スライド筐体部５−２が左右方向にスライドできるように開口４７が設けられている。
【００２２】
第１筐体カバー４ｂの内部空間は、第２筐体５の収納領域として使用され、第２筐体５が展開されているとスピーカエンクロージャーとして使用される。
【００２３】
操作部６は、音量増加スイッチ６ａ、音量減少スイッチ６ｂ、消音スイッチ６ｃ、及び、電源スイッチ６ｄを備えている。各スイッチ６ａ，６ｂ，６ｃ，６ｄは、図３に示すように回路基板２３に実装されたタクトスイッチ６−２と、タクトスイッチ６−２を押圧する押圧部材６−１とから構成される。
【００２４】
第１筐体ベース４ａの中央には、円形の孔部８が設けられている。孔部８の内側には、スピーカ２が配置されている。スピーカ２は、前方向に向けて音を出力する。すなわち、スピーカ２が第１筐体４の外部に音を出力する出力方向は、前方向である。以下の説明では、前方向を「出力方向」という場合があり、出力方向の反対方向である後方向を「反対方向」という場合がある。また、図１における右方向を第２筐体５が第１筐体４からスライドして展開される「展開方向」という場合があり、図１における左方向を第２筐体５が第１筐体４にスライドして収納される「収納方向」という場合がある。
【００２５】
第２筐体５の右側面部には、孔部９が設けられている。孔部９の内側には、マイク３が配置されている。マイク３は、孔部９を介して外部の音を集音する。第２筐体５の前部には、４つの孔部１０が設けられている。孔部１０の内側には、図２及び図３に示す回路基板２３に実装された音量増加スイッチ６ａ、音量減少スイッチ６ｂ、消音スイッチ６ｃ、及び、電源スイッチ６ｄが設けられている。
【００２６】
第２筐体５の後部には、図２に示す孔部１１が設けられている。孔部１１の内部には、ＵＳＢコネクタ１２が配置されている。ＵＳＢコネクタ１２には、ＵＳＢ端子ケーブル７のプラグが差し込まれる。スピーカフォン１は、ＵＳＢコネクタ１２、ＵＳＢコネクタ１２に差し込まれたプラグ、及び、該プラグに接続されたＵＳＢ端子ケーブル７を介して、外部ＰＣと通信を行う。
【００２７】
図２を参照し、スピーカフォン１の内部構造について詳細に説明する。図２に示すように第１筐体ベース４ａの内側の中央部には、スピーカ２が設けられている。スピーカ２の反対方向側の端部には、少なくとも図示しない磁石を収納する円柱状の磁石収納部１３が設けられている。図示しないが、磁石収納部１３には、前後方向に貫通する孔部を有する磁石と、該磁石の孔部の内側に設けられたコイルとが収納されている。磁石収納部１３の前側には、振動板等が収納された音声出力部１４が設けられている。音声出力部１４の直交方向の径は磁石収納部１３の直交方向の径より大きい。音声出力部１４の前面（音が出力される面）は、前方（出力方向）を向いている。
【００２８】
図２に示すように、スピーカ２の音声出力部１４の左右方向外側には、スピーカ２を固定するため孔部１５を有する板状部材である固定部材１６が設けられている。ネジ１７の軸部が、固定部材１６の孔部１８を介して、第１筐体ベース４ａの内側に設けられた円筒部材１９のネジ孔２０に挿入されている。固定部材１６がネジ１７の頭部と円筒部材１９の後端面とに挟まれることで、スピーカ２が第１筐体ベース４ａに固定されている。
【００２９】
第１筐体４の右側において、第１筐体ベース４ａと第１筐体カバー４ｂとが接する面に、シール部材３４を嵌め合わせる溝部３５がそれぞれ設けられている。シール部材３４は、第２筐体５がスライドして第１筐体４から展開及び収納される際に第１筐体４内から音が漏れるのを抑制するための部材である。また、シール部材３４は、第２筐体５が第１筐体４に対してスライドして展開及び収納される際に、適度な摩擦力が生じるような材料から構成されている。
【００３０】
図２及び図３に示すように、第１筐体４の内側におけるスピーカ２の周囲には、スピーカ２を収納する収納壁部２１が設けられている。収納壁部２１は、出力方向以外の方向においてスピーカ２を囲む壁部である。収納壁部２１は、第１筐体４に設けられた第１前壁部２１ａ、第１側壁部２１ｂ、及び第１後壁部２１ｃと、第２筐体５に設けられた第２前壁部２２ａ、第２側壁部２２ｂ、及び第２後壁部２２ｃとを備えている。第１前壁部２１ａは、収納壁部２１の出力方向側の壁部、すなわち第１筐体ベース４ａの前壁部の一部である。第１後壁部２１ｃは、収納壁部２１の反対方向側の壁部、すなわち第１筐体カバー４ｂの後壁部の一部である。
【００３１】
第２前壁部２２ａは、スライド筐体部５−２を構成する第２筐体ベース５ａの前壁部の一部である。第２後壁部２２ｃは、スライド筐体部５−２を構成する第２筐体カバー５ｂの後壁部の一部である。
【００３２】
第１側壁部２１ｂは、正面視で矩形状にスピーカ２を囲む。第１側壁部２１ｂは、第１筐体４を構成する側壁部であって、収納壁部２１の左右方向に延びる壁部と、上下方向に延びる壁部とを含む壁部である。すなわち、第１側壁部２１ｂは、第１筐体ベース４ａの左側壁部、右側壁部、上側壁部、及び下側壁部と、第１筐体カバー４ｂの左側壁部、右側壁部、上側壁部、及び下側壁部とを含む壁部の一部である。
【００３３】
第２側壁部２２ｂは、第２筐体５を構成する側壁部であって、収納壁部２１の左右方向に延びる壁部と、上下方向に延びる壁部とを含む壁部である。すなわち、第２側壁部２２ｂは、第２筐体ベース５ａの左側壁部、上側壁部、及び下側壁部と、第２筐体カバー５ｂの左側壁部、上側壁部、及び下側壁部とを含む壁部の一部である。
【００３４】
なお、固定部材１６には、スピーカ２と回路基板２３とを電気的に接続するためのケーブル２４が挿通される部位であるケーブル挿通部位２５が設けられている。ケーブル挿通部位２５は、図４に示すように、後述するスライドガイド部４６に嵌め込まれる。この嵌め込まれた状態で、ケーブル挿通部位２５の後側部分の高さと、スライドガイド部４６の後側部分の高さとが略一致する。
【００３５】
図４に示すように、スライドガイド部４６は、第１筐体ベース４ａの内部において、そのベース４ａの上側壁に近接して左右方向に延びて配置される。スライドガイド部４６は、第１筐体ベース４ａの上側壁との間に、ケーブル２４が配線される空間を形成する。スライドガイド部４６は、スライド筐体部５−２の左上側に配置された後述のケーブル挿通部位４３の前方部分と接する。第２筐体５が第１筐体４に対してスライドされて展開状態又は収納状態になる際に、ケーブル挿通部位４３の前方部分と、スライドガイド部４６の後方部分とが接するため、スライド筐体部５−２の左側部分が前方へずれることなく、左右方向に案内される。
【００３６】
また、第２筐体カバー５ｂの後壁部から突出して配置される展開規制部材４５ｂの後方側の面は、図３及び図５に示すように、後壁部２１ｃの内面に接する。したがって、スライド筐体部５−２の左側部分が後方へずれることなく、左右方向に案内される。また、シール部材３４が、スライド筐体部５−２の周囲を覆うように接する。したがって、第２筐体５がスライドされる際に、第２筐体５のスライド筐体部５−２が、前後方向に４つの面で支持されるため、第２筐体５が前後方向にずれることが防止される。この結果、第２筐体５が第１筐体４に対して滑らかに左右方向にスライドして展開状態又は収納状態にすることができる。
【００３７】
図２に示すように、ケーブル挿通部位４３が、スライド筐体部５−２を構成する第２筐体ベース５ａの左上側に設けられ、ケーブル２４が挿通可能に形成される。孔部４４が、スライド筐体部５−２を構成する第２筐体カバー５ｂの左上側に設けられ、ケーブル２４が挿通可能に形成される。一対の展開規制部材４５ａ、４５ｂが、スライド筐体部５−２を構成する第２筐体ベース５ａの前面、及び、スライド筐体部５−２を構成する第２筐体カバー５ｂの後面に突出して設けられる。両展開規制部材４５ａ、４５ｂは、上下方向に延びて形成され、図３に示すように、第１筐体ベース４ａ及び第１筐体カバー４ｂの右側端に位置する第１側壁２１ｂの一部に当接するように配置される。この当接により、両展開規制部材４５ａ、４５ｂは、第２筐体５が第１筐体４から引き出される距離を規制する。
【００３８】
第２筐体５の内側には、回路基板２３が設けられている。図２及び図３に示すように、回路基板２３は、表面部位２６、裏面部位２７、第１接続部位２８、及び第２接続部位２９を備えている。
【００３９】
表面部位２６には、音量増加スイッチ６ａ、音量減少スイッチ６ｂ、消音スイッチ６ｃ、及び、電源スイッチ６ｄが設けられている。裏面部位２７には、ＵＳＢコネクタ１２、第１接続部位２８、及び、第２接続部位２９が設けられている。
【００４０】
第１接続部位２８は、裏面部位２７の左上側に設けられ、スピーカ２のケーブル２４と接続される。第２接続部位２９は、裏面部位２７の右側に設けられ、マイク３のケーブル３０と電気的に接続される。ケーブル３０は、固定部材３１の孔部３２を通る。固定部材３１は、ケーブル３０を孔部３２に通した後に、マイク収納部３３に嵌め込まれる。
【００４１】
回路基板２３と第２筐体ベース５ａとを接続する構成について説明する。回路基板２３と第２筐体ベース５ａとは、４つのネジ４１が回路基板２３の四隅に設けられた４つの孔部４２を通って、第２筐体ベース５ａに設けられた４つの円筒部材４０のネジ孔４０ａに挿入されることによって互いに接続される。
【００４２】
第１筐体ベース４ａと第１筐体カバー４ｂとを接続する構成について説明する。第１筐体ベース４ａと第１筐体カバー４ｂとは、４箇所で第１接続部３６（図３参照）によって互いに接続される。第１接続部３６は、４つの円筒部材３６ａ、４つのネジ用凹部３６ｂ、及び４つのネジ３７を備えている。４つの円筒部材３６ａ、及び４つのネジ用凹部３６ｂは、第１筐体ベース４ａ及び第１筐体カバー４ｂの４つの角部に近接して設けられる。ネジ用凹部３６ｂの前側の面には、前後方向に貫通する図示しない孔部が設けられている。図２に示すように、４つのネジ３７は、第１筐体カバー４ｂの後側からネジ用凹部３６ｂに挿入される。ネジ３７の軸部は、ネジ用凹部３６ｂの孔部を介して円筒部材３６ａのネジ孔３６ｃに挿入される。これによって、第１筐体ベース４ａと第１筐体カバー４ｂとが接続される。
【００４３】
第２筐体ベース５ａと第２筐体カバー５ｂとを接続する構成について説明する。第２筐体ベース５ａと第２筐体カバー５ｂとは、４箇所で第２接続部３８（図３参照）によって互いに接続される。第２接続部３８は、２つの円筒部材３８ａ、２つのネジ用凹部３８ｂ、４つのネジ孔３８ｃ、２つの孔部３８ｄ、及び４つのネジ３９を備えている。２つの円筒部材３８ａ、２つのネジ用凹部３８ｂ、及び、４つのネジ孔３８ｃのうちの２つのネジ孔３８ｃは、操作筐体部５−１を構成する第２筐体ベース５ａ及び第２筐体カバー５ｂの右側部分に設けられる。
【００４４】
４つのネジ孔３８ｃのうちの２つの残りのネジ孔３８ｃ、及び、２つの孔部３８ｄは、スライド筐体部５−２を構成する第２筐体ベース５ａ及び第２筐体カバー５ｂの左端部分に設けられる。ネジ用凹部３８ｂの前側の面には、前後方向に貫通する図示しない孔部が設けられている。図２に示すように、４つのネジ３９のうち２つのネジ３９は、第２筐体カバー５ｂの後側からネジ用凹部３８ｂに挿入される。ネジ３９の軸部は、ネジ用凹部３８ｂの孔部を介して円筒部材３８ａのネジ孔３８ｃに挿入される。また残りの２つのネジ３９は、孔部３８ｄを通って、ネジ孔３８ｃに挿入される。これによって、第２筐体ベース５ａと第２筐体カバー５ｂとが接続される。
【００４５】
図２を参照して、スピーカフォン１の組み立て手順について説明する。スピーカ２が固定部材１６と３つのネジ１７により固定される。スピーカ２のケーブル２４がシール部材３４、及び、第２筐体カバー５ｂの孔部４４を通り、回路基板２３の第１接続部位２８に接続される。次に、マイク３のケーブル３０が固定部材３１の孔部３２を通って回路基板２３の第２接続部位２９に接続される。操作部６の押圧部材６−１が第２筐体５の孔部１０に嵌められる。固定部材３１がマイク収納部３３に嵌め込まれる。
【００４６】
回路基板２３が４つのネジ４１によって第２筐体ベース５ａに固定される。第２筐体カバー５ｂが４つのネジ３９により第２筐体ベース５ａに固定される。ケーブル２４と孔部４４との隙間が、樹脂等で埋められる。シール部材３４が第２筐体５の展開規制部材４５よりも右側に嵌められる。スピーカ２のケーブル２４が第２筐体ベース５ａのケーブル挿通部位４３、及び、固定部材１６のケーブル挿通部位２５を通る。シール部材３４が溝部３５に嵌め込まれる。第１筐体カバー４ｂが４つのネジ３７により第１筐体ベース４ａに固定される。
【００４７】
（展開状態又は収納状態に変化するスピーカフォン１の動作）
図３から図６を用いて、第２筐体５が第１筐体４に対してスライドされて、スピーカフォン１が展開状態又は収納状態になる際の動作について説明する。図３は、展開状態であるスピーカフォン１を左右方向の水平面で切断した断面図である。図４は、第１筐体カバー４ｂを取り外して、展開状態であるスピーカフォン１を後方から見た斜視図である。図５は、収納状態であるスピーカフォン１を左右方向の水平面で切断した断面図である。図６は、第１筐体カバー４ｂを取り外して、収納状態であるスピーカフォン１を後方から見た斜視図である。
【００４８】
図３及び図４に示すように、スピーカフォン１が展開状態である場合、図３に示すように、両展開規制部材４５ａ、４５ｂは、第１筐体ベース４ａ及び第１筐体カバー４ｂの右側端に位置する第１側壁２１ｂの一部に当接し、展開規制部材４５ｂの後方側の面は、後壁部２１ｃの内面に接する。スライド筐体部５−２における両展開規制部材４５ａ、４５ｂの右側近傍にシール部材３４が接する。また、図４に示すように、ケーブル挿通部位４３の前方部分は、スライドガイド部４６の右後部分と接する。
【００４９】
図３及び図５に示すように、スピーカフォン１が展開状態である場合、スピーカフォン１が収納状態である場合と比較して、スピーカエンクロージャーとなるスピーカ２の背面空間が拡大する。スピーカ２の背面空間が拡大すればする程、低音部分の再現可能な周波数がより低くなるため、再現可能な周波数の帯域が広がり、スピーカ２の再現性が良くなる。展開状態の背面空間が、収納状態の背面空間よりも大きいため、スピーカ２による再生音の再現性が良くなり、低音を効かせたよりダイナミックな楽曲ファイルの再生が可能になる。
【００５０】
また、スピーカフォン１が展開状態である場合は、第２筐体５が右側にスライドされるため、第２筐体５に設けられた孔部９，１０，１１とスピーカ２との距離が収納状態のときの距離よりも離れる。スピーカ２の背面から出力された音は、距離が離れれば離れるほど、空気伝播の抵抗により減衰する。したがって、孔部９，１０，１１から漏れる音は、スピーカフォン１が収納状態である場合よりも展開状態である場合の方が、少なくなる。さらに、低音は音が回り込む回折効果が大きく、スピーカフォン１から音が漏れてスピーカ２の前面に回り込むと、音が打ち消し合って音が聞こえなくなってしまう。したがって、スピーカ２の背面空間の密閉性を向上させ、音漏れを抑制することで音の打ち消しを低減させることができる。
【００５１】
本実施形態では、スピーカフォン１を展開状態にさせると、孔部９，１０，１１とスピーカ２との距離が離れるため、音漏れを抑制できる。また、第２筐体５内部に回路基板２３を設け、孔部９，１０，１１を第２筐体５に設けているため、スピーカ２が配置されている第１筐体４には、孔部がなく、スピーカ２の背面空間の密閉性を保つことができる。さらに、第１筐体４と第２筐体５とが接する部分に、シール部材３４を用いているため、スピーカ２の背面空間の密閉性をより保つことができる。
【００５２】
図５及び図６に示すように、スピーカフォン１が収納状態である場合、図５に示すように、操作筐体部５−１の左側側面部分が第１筐体４の右側側面部分に接し、展開規制部材４５ｂの後方側の面は、後壁部２１ｃの内面に接する。スライド筐体部５−２の右側部分にシール部材３４が接する。また、図６に示すように、ケーブル挿通部位４３の前方部分は、スライドガイド部４６の左後部分と接する。
【００５３】
図５に示すように、スピーカフォン１が収納状態である場合、スピーカ２の背面空間が展開状態と比較して小さくなる。背面空間が小さいと、低音の出力音量が絞られ、会話等の音声の再生に向いた出力特性が得られるため、会話等の音声を再生する時にはスピーカフォン１が収納状態で用いられる。また、孔部９，１０，１１とスピーカ２との距離が展開状態よりも近くなるため、音漏れを低減する効果が小さくなる。ただし、収納状態である場合は、低音部分の再生可能な周波数が限られているため、漏れる音の回折効果は小さく、音が打ち消される問題を考慮する必要はない。
【００５４】
次に、図４及び図６を用いて、スピーカフォン１の展開状態と収納状態とにおけるスピーカ２のケーブル２４について説明する。ケーブル２４は、図４に示すように、展開状態では、ケーブル挿通部位２５を通り、ケーブル挿通部位２５の右側に位置するケーブル挿通部位４３を通る。一方、ケーブル２４は、図６に示すように、収納状態では、ケーブル挿通部位２５を通り、ケーブル挿通部位２５の左側に位置するケーブル挿通部位４３を通る。スピーカフォン１が展開状態から収納状態に変化するとき、ケーブル挿通部位２５及びケーブル挿通部位４３の間に配線されるケーブル２４は、ケーブル挿通部位２５においてケーブル２４が挿通する位置より後側の領域であって、ケーブル挿通部位４３においてケーブル２４が挿通する位置よりも前側の領域を通る。スピーカフォン１が収納状態から展開状態に変化するときも、ケーブル挿通部位２５及びケーブル挿通部位４３の間に配線されるケーブル２４は同様の領域を通る。
【００５５】
本実施形態におけるＵＳＢコネクタ１２は、本発明における接続端子の一例に相当する。本実施形態におけるＰＣは、本発明における外部機器の一例に相当する。本実施形態におけるスライドガイド部４６、ケーブル挿通部位４３、展開規制部材４５、第１後壁部２１ｃ、シール部材３４、溝部３５、スライド筐体部５−２、第２前壁部２２ａ、第２側壁部２２ｂ、及び、第２後壁部２２ｃは、本発明における変位機構の一例に相当する。本実施形態における操作部６、音量増加スイッチ６ａ、音量減少スイッチ６ｂ、消音スイッチ６ｃ、電源スイッチ６ｄ、押圧部材６−１、及び、タクトスイッチ６−２は、本発明における操作部の一例に相当する。本実施形態における第２筐体ベース５ａの左側壁部と第２筐体カバー５ｂの左側壁部とに相当する第２側壁部２２ｂは、本発明における隔壁の一例に相当する。
【００５６】
（変形例）
本発明の技術的範囲は、本発明の上記記述及び図面によって説明した実施形態に限定されるものではなく、例えば、次のような種々の態様も含まれる。
【００５７】
本発明の変位機構としてスライド機構を用いて説明したが、蛇腹構造の変位機構を用いてもよい。
【００５８】
本実施形態では、操作部６、及び、ＵＳＢコネクタ１２を設けるために、第２筐体５に孔部１０及び孔部１１を形成したが、静電容量方式のタッチパネル、無線通信、及び、非接触電力伝送等を用いて第２筐体５に孔部を形成しなくてもよい。
【００５９】
本実施形態では、回路基板２３が第２筐体５の内部に配置される構成を用いたが、回路基板２３がスピーカ２の背面に配置される構成でもよい。この場合、回路基板２３が第１筐体４側に配置されるため、第２筐体５をスライドするときに回路基板２３と第２側壁部２２ｂとが衝突しないように、第２筐体ベース５ａの左側壁部と第２筐体カバー５ｂの左側壁部とに相当する第２側壁部２２ｂは設けずに、代わりに操作筐体部５−１の内部の左側部分を覆う側壁を設ける。マイク３の孔部９は、操作筐体部５−１の内部に設けられているため、スピーカフォン１を展開状態にした場合、スピーカ２と孔部９との距離が離れるため、孔部９から漏れる音を低減できる。
【符号の説明】
【００６０】
１    スピーカフォン
２    スピーカ
３    マイク
４    第１筐体
５    第２筐体
５ａ  第２筐体ベース
５ｂ  第２筐体カバー
５−２  スライド筐体部
６    操作部
６ａ  音量増加スイッチ
６ｂ  音量減少スイッチ
６ｃ  消音スイッチ
６ｄ  電源スイッチ
６−１  押圧部材
６−２  タクトスイッチ
７    ＵＳＢ端子ケーブル
８、９、１０、１１  孔部
１２  ＵＳＢコネクタ
２１  収納壁部
２１ｃ  第１後壁部
２２ａ  第２前壁部
２２ｂ  第２側壁部
２２ｃ  第２後壁部
２５、４３  ケーブル挿通部位
３４  シール部材
３５  溝部
４５ａ、４５ｂ  展開規制部材
４６  スライドガイド部
【図１】
2014165627.tif 000003
【図２】
2014165627.tif 000004
【図３】
2014165627.tif 000005
【図４】
2014165627.tif 000006
【図５】
2014165627.tif 000007
【図６】
2014165627.tif 000008